(57)【要約】【課題】所定の指示を簡単に入力することができる携帯電子機器、接触操作制御方法および接触操作制御プログラムを提供することにある。【解決手段】第１面と第１面の反対側の面の第２面とを備える筐体と、第１面に配置された接触を検出する第１検出部および第２面に配置された接触を検出する第２検出部を備える接触検出部と、第１検出部が第１位置および第２位置で接触を検出し、かつ第２検出部が第１位置に対向する第３位置で接触を検出している状態で、第２検出部で第２位置に対応する第４位置への接触を検出すると、予め設定された設定処理を実行する制御部と、を有することで上記課題を解決する。【選択図】図４
2012194810.tif 000002
【特許請求の範囲】
【請求項１】
第１面と前記第１面の反対側の面の第２面とを備える筐体と、
前記第１面に配置された接触を検出する第１検出部および前記第２面に配置された接触を検出する第２検出部を備える接触検出部と、
前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行する制御部と、を有することを特徴とする携帯電子機器。
【請求項２】
前記筐体の姿勢を検出する姿勢検出センサを更に有し、
前記制御部は、前記姿勢検出センサで前記第２検出部の位置が前記第１検出部の位置よりも鉛直方向下側であることを検出した状態で、前記第２検出部が前記第２位置に対応する第４位置への接触を検出した場合、前記設定処理の実行を規制することを特徴とする請求項１に記載の携帯電子機器。
【請求項３】
前記筐体の前記第１面および前記第２面に隣接した面のうち、前記第１位置と前記第２位置と前記第３位置と前記第４位置とを結んで形成される四角形に平行な面に配置された表示部をさらに備え、
前記制御部は、前記第４位置を特定する表示を前記表示部に表示させることを特徴とする請求項１または２に記載の携帯電子機器。
【請求項４】
被写体の画像を取得するカメラをさらに有し、
前記設定処理は、前記カメラで画像を取得する撮影処理であることを特徴とする請求項１から３のいずれか一項に記載の携帯電子機器。
【請求項５】
前記カメラは、前記筐体の前記第１面と前記第２面とに隣接した面のうち、前記第１位置と前記第２位置と前記第３位置と前記第４位置とを結んで形成される四角形に平行な面に撮影窓が配置されていることを特徴とする請求項４に記載の携帯電子機器。
【請求項６】
前記カメラは、光軸方向が前記四角形に垂直な方向であることを特徴とする請求項５に記載の携帯電子機器。
【請求項７】
前記筐体の前記カメラが配置されている面とは反対側の面に配置された表示部をさらに備え、
前記制御部は、前記表示部に前記カメラが撮影した画像のプレビュー画像を表示させることを特徴とする請求項４から６のいずれか一項に記載の携帯電子機器。
【請求項８】
第１面と前記第１面の反対側の面の第２面とを備える筐体および前記第１面に配置された接触を検出する第１検出部および前記第２面に配置された接触を検出する第２検出部を備える接触検出部を有する携帯電子機器の接触操作制御方法であって、
前記接触検出部で接触位置を検出するステップと、
前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行するステップと、
を含むことを特徴とする接触操作制御方法。
【請求項９】
第１面と前記第１面の反対側の面の第２面とを備える筐体および前記第１面に配置された接触を検出する第１検出部および前記第２面に配置された接触を検出する第２検出部を備える接触検出部を有する携帯電子機器に、
前記接触検出部で接触位置を検出するステップと、
前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行するステップと、
を実行させることを特徴とする接触操作制御プログラム。
【発明の詳細な説明】
【技術分野】
【０００１】
本発明は、携帯電子機器、接触操作制御方法および接触操作制御プログラムに関する。
【背景技術】
【０００２】
近年、直感的な操作を可能にするとともに、キーボードのように物理的に大きな面積を必要とするデバイスを具備しない小型の携帯電子機器を実現するために、タッチパネルが広く利用されるようになっている（特許文献１、特許文献２参照）。
【先行技術文献】
【特許文献】
【０００３】
【特許文献１】特開２０１０−２６３１９号公報
【特許文献２】特開２００３−８８８６号公報
【発明の概要】
【発明が解決しようとする課題】
【０００４】
タッチパネルを備え、かつ撮影機能を備える携帯電子機器では、タッチパネルに入力されたタッチ操作を撮影指示つまりシャッタボタンの押下として検出し画像の撮影を行う携帯電子機器がある。
【０００５】
しかしながら、シャッタボタンを固定位置に配置した構成では、携帯電子機器の持ち方によっては、シャッタボタンが押しにくい場合がある。
【０００６】
本発明は、上記に鑑みてなされたものであって、所定の指示を簡単に入力することができる携帯電子機器、接触操作制御方法および接触操作制御プログラムを提供することを目的とする。
【課題を解決するための手段】
【０００７】
上述した課題を解決し、目的を達成するために、本発明は、携帯電子機器であって、第１面と前記第１面の反対側の面の第２面とを備える筐体と、前記第１面に配置された接触を検出する第１検出部および前記第２面に配置された接触を検出する第２検出部を備える接触検出部と、前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行する制御部と、を有することを特徴とする。
【０００８】
ここで、前記筐体の姿勢を検出する姿勢検出センサを更に有し、前記制御部は、前記姿勢検出センサで前記第２検出部の位置が前記第１検出部の位置よりも鉛直方向下側であることを検出した状態で、前記第２検出部が前記第２位置に対応する第４位置への接触を検出した場合、前記設定処理の実行を規制することが好ましい。
【０００９】
また、前記筐体の前記第１面および前記第２面に隣接した面のうち、前記第１位置と前記第２位置と前記第３位置と前記第４位置とを結んで形成される四角形に平行な面に配置された表示部をさらに備え、前記制御部は、前記第４位置を特定する表示を前記表示部に表示させることが好ましい。
【００１０】
また、被写体の画像を取得するカメラをさらに有し、前記設定処理は、前記カメラで画像を取得する撮影処理であることが好ましい。
【００１１】
また、前記カメラは、前記筐体の前記第１面と前記第２面とに隣接した面のうち、前記第１位置と前記第２位置と前記第３位置と前記第４位置とを結んで形成される四角形に平行な面に撮影窓が配置されていることが好ましい。
【００１２】
また、前記カメラは、光軸方向が前記四角形に垂直な方向であることが好ましい。
【００１３】
また、前記筐体の前記カメラが配置されている面とは反対側の面に配置された表示部をさらに備え、前記制御部は、前記表示部に前記カメラが撮影した画像のプレビュー画像を表示させることが好ましい。
【００１４】
上述した課題を解決し、目的を達成するために、本発明は、第１面と前記第１面の反対側の面の第２面とを備える筐体および前記第１面に配置された接触を検出する第１検出部および前記第２面に配置された接触を検出する第２検出部を備える接触検出部を有する携帯電子機器の接触操作制御方法であって、前記接触検出部で接触位置を検出するステップと、前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行するステップと、を含むことを特徴とする。
【００１５】
上述した課題を解決し、目的を達成するために、本発明は、接触操作制御プログラムであって、第１面と前記第１面の反対側の面の第２面とを備える筐体および前記第１面に配置された接触を検出する第１検出部および前記第２面に配置された接触を検出する第２検出部を備える接触検出部を有する携帯電子機器に、前記接触検出部で接触位置を検出するステップと、前記第１検出部が第１位置および第２位置で接触を検出し、かつ前記第２検出部が前記第１位置に対向する第３位置で接触を検出している状態で、前記第２検出部で前記第２位置に対応する第４位置への接触を検出すると、予め設定された設定処理を実行するステップと、を実行させることを特徴とする。
【発明の効果】
【００１６】
本発明に係る携帯電子機器、接触操作制御方法および接触操作制御プログラムは、簡単に撮影指示を入力することができるという効果を奏する。
【図面の簡単な説明】
【００１７】
【図１】図１は、携帯電話端末の外観を示す斜視図である。
【図２】図２は、携帯電話端末の外観を示す正面図である。
【図３】図３は、携帯電話端末の機能的な構成を示すブロック図である。
【図４】図４は、側面接触センサによって検出される操作に応じて主制御部が実行する制御の例を示す図である。
【図５】図５は、側面接触センサによって検出される操作に応じて主制御部が実行する制御の例を示す図である。
【図６】図６は、側面接触センサによって検出される操作に応じて主制御部が実行する制御の他の例を示す図である。
【図７】図７は、側面接触センサによって検出される操作に応じて主制御部が実行する制御の他の例を示す図である。
【図８】図８は、携帯電話端末の動作を示すフローチャートである。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器の一例として携帯電話端末について説明するが、本発明の適用対象は携帯電話端末に限定されるものではなく、各種装置、例えば、ＰＨＳ（Personal  Handy-phone  System）、ＰＤＡ、ポータブルナビゲーション装置、パーソナルコンピュータ、ゲーム機等に対しても本発明は適用できる。
【００１９】
（実施形態）
まず、図１および図２を参照しながら、本発明に係る電子機器の一実施形態である携帯電話端末１の外観について説明する。図１は、携帯電話端末１の外観を示す斜視図である。図２は、携帯電話端末１の外観を示す正面図である。図１および図２に示すように、携帯電話端末１は、面積が他の面よりも広い２つの面を有する略六面体形状の筐体を有し、その筐体の表面にタッチパネル２と、入力部３と、側面接触センサ４と、スピーカ７と、マイク８と、カメラ１３と、を備える。
【００２０】
タッチパネル２は、面積が最も広い面（正面）の１つに設けられ、文字、図形、画像等を表示するとともに、指、スタイラス、ペン等（以下、単に「指」という）を用いてタッチパネル２に対して行われる各種操作を検出する。なお、タッチパネル２が各種操作を検出する方式は、静電容量式、感圧式等の任意の方式であってよい。入力部３は、所定の機能が割り当てられたボタン３Ａ、ボタン３Ｂおよびボタン３Ｃ等の複数のボタンからなる。
【００２１】
側面接触センサ４は、タッチパネル２が設けられている面と接する面（側面、第１面、第２面）に設けられ、指を用いて側面接触センサ４に対して行われる各種操作を検出する。側面接触センサ４は、タッチパネル２が設けられている面が正面であるものとして、右側面に設けられた右側面センサ２２と、左側面に設けられた左側面センサ２４と、上側面に設けられた上側面センサ２６と、下側面に設けられた下側面センサ２８とを含む。右側面センサ２２等が各種操作を検出する方式は、静電容量式、感圧式等の任意の方式であってよい。なお、右側面センサ２２と左側面センサ２４と上側面センサ２６と下側面センサ２８とは、それぞれ複数点の接触を検出することができる。例えば、右側面センサ２２に２本の指を接触させた場合、右側面センサ２２は、２本の指が接触している位置を検出することが可能である。スピーカ７は、通話相手の音声や、各種プログラムによって再生される音楽や効果音等を出力する。マイク８は、通話時や音声による操作の受付時に音声を取得する。カメラ１３は、タッチパネル２が設けられている面とは反対側の面に配置されている。具体的には、カメラ１３は、タッチパネル２が設けられている面とは反対側の面に撮影窓が露出している。カメラ１３は、タッチパネル２が設けられている面とは反対側の面に対面する領域の画像を撮影する。
【００２２】
携帯電話端末１は、タッチパネル２に加えて側面接触センサ４を備えることにより、以下に説明するように、直感的で使い勝手のよい多様な操作方法を利用者に提供する。
【００２３】
次に、図３を参照しながら、携帯電話端末１の機能的な構成について説明する。図３は、携帯電話端末１の機能的な構成を示すブロック図である。図３に示すように携帯電話端末１は、タッチパネル２と、入力部３と、側面接触センサ４と、電源部５と、通信部６と、スピーカ７と、マイク８と、記憶部９と、主制御部１０と、ＲＡＭ（Random  Access  Memory）１１と、カメラ１３と、姿勢検出センサ１４と、を有する。
【００２４】
タッチパネル２は、表示部２Ｂと、表示部２Ｂに重畳されたタッチセンサ２Ａとを有する。タッチセンサ２Ａは、指を用いてタッチパネル２に対して行われた各種操作を、操作が行われた場所のタッチパネル２上での位置とともに検出し、主制御部１０に通知する。タッチセンサ２Ａによって検出される操作には、タップ操作やスイープ操作が含まれる。表示部２Ｂは、例えば、液晶ディスプレイ（ＬＣＤ、Liquid  Crystal  Display）や、有機ＥＬ（Organic  Electro−Luminescence）パネルなどで構成され、文字や図形等を表示する。
【００２５】
入力部３は、物理的なボタン等を通じて利用者の操作を受け付け、受け付けた操作に対応する信号を主制御部１０へ送信する。側面接触センサ４は、右側面センサ２２と、左側面センサ２４と、上側面センサ２６と、下側面センサ２８とを含み、これらのセンサに対して行われた各種操作を、操作が行われた場所の位置とともに検出し、主制御部１０に通知する。電源部５は、蓄電池または外部電源から得られる電力を、主制御部１０を含む携帯電話端末１の各機能部へ供給する。
【００２６】
通信部６は、基地局によって割り当てられるチャネルを介し、基地局との間でＣＤＭＡ方式などによる無線信号回線を確立し、基地局との間で電話通信及び情報通信を行う。スピーカ７は、主制御部１０から送信される音声信号を音声として出力する。マイク８は、利用者等の音声を音声信号へ変換して主制御部１０へ送信する。
【００２７】
記憶部９は、例えば、不揮発性メモリや磁気記憶装置であり、主制御部１０での処理に利用されるプログラムやデータを保存する。記憶部９に記憶されるプログラムには、メールプログラム９Ａと、ブラウザプログラム９Ｂと、撮影制御プログラム９Ｃと、接触操作制御プログラム９Ｄとが含まれる。また、記憶部９に記憶されるデータには、側面接触動作定義データ９Ｅが含まれる。記憶部９は、携帯電話端末１の基本的な機能を実現するオペレーティングシステムプログラムやアドレス帳データ等のその他のプログラムやデータも記憶する。なお、記憶部９は、メモリカード等の可搬の記憶媒体と、記憶媒体の読み取り装置との組み合わせとして構成されていてもよい。
【００２８】
メールプログラム９Ａは、電子メール機能を実現するための機能を提供する。ブラウザプログラム９Ｂは、ＷＥＢブラウジング機能を実現するための機能を提供する。撮影制御プログラム９Ｃは、他のプログラム等から入力される指示に基づいてカメラ１３の動作を制御し画像を撮影し、取得する機能を実現するための機能を提供する。接触操作制御プログラム９Ｄは、タッチセンサ２Ａおよび側面接触センサ４によって検出される各種の接触操作に応じた処理を実行するための機能を提供する。側面接触動作定義データ９Ｅは、側面接触センサ４の検出結果に応じて起動される機能についての定義を保持する。
【００２９】
主制御部１０は、例えば、ＣＰＵ（Central  Processing  Unit）であり、携帯電話端末１の動作を統括的に制御して各種の機能を実現する。具体的には、主制御部１０は、記憶部９に記憶されているデータやＲＡＭ１１に展開したデータを必要に応じて参照しつつ、記憶部９に記憶されているプログラムに含まれる命令を実行して、表示部２Ｂや、通信部６等を制御することによって各種機能を実現する。なお、主制御部１０が実行するプログラムや参照するデータは、通信部６による無線通信でサーバ装置からダウンロードすることとしてもよい。
【００３０】
主制御部１０は、例えば、メールプログラム９Ａを実行することによって、電子メール機能を実現する。また、主制御部１０は、撮影制御プログラム９Ｃを実行することによって、カメラ１３で画像を撮影する機能を実現する。また、主制御部１０は、接触操作制御プログラム９Ｄを実行することによって、タッチセンサ２Ａおよび側面接触センサ４によって検出される各種の接触操作に応じて対応する処理を実行する機能を実現する。なお、主制御部１０は、オペレーティングシステムプログラムによって提供されるマルチタスク機能によって、複数のプログラムを並行して実行できるものとする。
【００３１】
ＲＡＭ１１は、主制御部１０によって実行されるプログラムの命令、主制御部１０が参照するデータ、主制御部１０の演算結果等が一時的に記憶される記憶領域として利用される。
【００３２】
カメラ１３は、画像を取得する撮像機構である。カメラ１３は、上述したようにタッチパネル２が配置されている面とは反対側の面に撮影窓が配置されている。また、カメラ１３は、光軸が側面接触センサ４を結んで形成される平面に垂直な方向となる。なお、カメラ１３の受光素子としては、ＣＭＯＳイメージセンサや、ＣＣＤイメージセンサを用いることができる。
【００３３】
姿勢検出センサ１４は、携帯電話端末１（筐体）の姿勢を検出する検出器である。姿勢検出センサ１４としては、姿勢を検出する種々の方法の検出器を用いることができ、例えば、３軸のジャイロと３軸の加速度センサとの組み合わせ等で姿勢を検出する検出器を用いることができる。姿勢検出センサ１４は、携帯電話端末１の姿勢を検出し、検出結果を主制御部１０に送る。なお、姿勢検出センサ１４は、携帯電話端末１の姿勢の変化を検出したら、その変化情報を主制御部１０に送るようにしても、一定間隔毎に姿勢を検出し、検出した姿勢の情報を主制御部１０に送るようにしてもよい。また、姿勢検出センサ１４は、主制御部１０から姿勢の情報の検出指示が送られたら、姿勢の情報を検出し、その検出結果を主制御部１０に送るようにしてもよい。
【００３４】
次に、図４および図５を参照しながら、側面接触センサ４によって検出される操作に応じて主制御部１０が実行する制御の例について説明する。なお、図４および図５は、側面接触センサ４によって検出される操作に応じてカメラ１３で画像を取得する処理の例である。具体的には、撮影指示（いわゆるシャッタボタンの押下操作）を側面接触センサ４によって検出可能な操作の所定の操作に割り当てた場合の制御の例について説明する。図４および図５は、それぞれ側面接触センサによって検出される操作に応じて主制御部が実行する制御の例を示す図である。なお、図４は、携帯電話端末１と携帯電話端末１を操作する手（左手４０と右手５０）との関係を示す図である。図５は、操作する手と側面接触センサ４で接触する接触点との関係を模式的に示す図である。また、図４および図５に示す処理は、撮影制御プログラム９Ｃおよび接触操作制御プログラム９Ｄを主制御部１０で処理することで実現される。
【００３５】
図４に示す携帯電話端末１は、タッチパネル２の長手方向が横向きとなる向きで利用者の左手４０および右手５０により支持されている。具体的には、左手４０は、親指４２で左側面センサ２４の上側面センサ２６側の部分を支持し、人差し指４４で右側面センサ２２の上側面センサ２６側の部分を支持している。右手５０は、親指５２で左側面センサ２４の下側面センサ２８側の部分を支持している。このように３本の指で支持されている状態の場合、携帯電話端末１は、図５の左図に示すように親指４２の接触点６２での接触を左側面センサ２４が検出し、人差し指４４の接触点６３での接触を右側面センサ２２が検出し、親指５２の接触点６４での接触を左側面センサ２４が検出する。つまり、右側面センサ２２は、接触点６３の１つの接触点で接触を検出する。左側面センサ２４は、接触点６２と接触点６４の２つの接触点で接触を検出する。なお、接触点６２と接触点６３とは、長手方向（右側面センサ２２および左側面センサ２４の延在する方向）における位置が略同一位置となる。
【００３６】
図５の左図のように利用者が接触していると、携帯電話端末１の主制御部１０は、左側面センサ（第１検出部）２４が２つの接触点（第１位置）６２と接触点（第２位置）６４で接触を検出し、右側面センサ（第２検出部）２２が接触点（第１位置）６２に対向する位置である接触点（第３位置）６３で接触を検出している状態であると判定する。次に、主制御部１０は、接触点６２、６３、６４の位置情報に基づいて、側面接触センサ４への接触のうち、シャッタボタンの押下が検出されると推定される領域を決定する。具体的には、主制御部１０は、接触点（第３位置）６３と同一の側面の側面センサである、右側面センサ２２で接触点（第２位置）６３と対向する一定幅の領域（シャッタ領域６６）での接触の検出をシャッタボタンの操作とする。また、主制御部１０は、タッチパネル２の右側面センサ２２のシャッタ領域６６に対応する位置、つまり、タッチパネル２の右側面センサ２２側かつ接触点６３に対向する領域にシャッタ操作を示すマーク６８を表示させる。なお、シャッタ領域６６は、利用者が入力した操作に基づいて位置を調整してもよいし、利用者が入力した設定により任意の位置とすることもできる。
【００３７】
次に、利用者は、図５の左図に示す状態から図４に示すように右手５０の人差し指５４を矢印５９の方向に移動させ、右側面センサ２２の下側面センサ２８側の位置に人差し指５４を接触させる。利用者が人差し指５４を右側面センサ２２の下側面センサ２８側に接触させることで、携帯電話端末１は、図５の右図に示すように、図５の左図に示す３本の指に加え、右手の人差し指５４が右側面センサ２２に接触した状態となる。これにより、携帯電話端末１は、人差し指５４の接触点６５での接触を右側面センサ２２が新たに検出する。これにより、主制御部１０は、上述した３点に加え、右側面センサ（第２検出部）２２が接触点（第２位置）６４に対向する位置である接触点（第４位置）６５で接触を検出したと判定する。なお、ここで、接触点６５は、シャッタ領域６６に含まれる領域である。また、接触点６２と、接触点６３と、接触点６４と、接触点６５とを結ぶと四角形６９が形成される。
【００３８】
主制御部１０は、右側面センサ２２による接触点（第４位置）６５への接触の検出を、撮影指示の入力と判定し、カメラ１３で撮影した画像を取得する。主制御部１０は、撮影指示が入力された時点で取得した画像を一時的に保存し、タッチパネル２に表示させる。その後、利用者により保存の指示が入力された場合、当該一時的に保存していた画像を記憶部９に記憶させる。なお、主制御部１０は、撮影指示が入力された時点で取得した画像をそのまま保存してもよい。
【００３９】
主制御部１０は、側面接触センサ４の対向する２つの側面センサの一方の側面センサが第１位置および第２位置において接触を検出し、第１位置に対向する他方の側面センサが第３位置において接触を検出した状態にて、その後、第２位置に対向する他方の側面センサの位置である第４位置において接触操作が検出されたとき、当該接触操作をシャッタボタンの押下の操作とする。これにより、図４に示すように、実際のカメラのシャッタボタンの押下と同様の操作を撮影指示の操作とすることができる。
【００４０】
ここで、側面接触センサ４は、つまり同一の側面センサで検出する２つの接触が、一定距離以上離れている場合、それぞれの接触の位置を第１位置と第２位置、第３位置と第４位置とすることが好ましい。これにより、１つの指が一定の幅で接触している状態を２つの接触点として検出することを抑制することができ、誤検出を抑制することができる。また、対向する２つの側面センサそれぞれで検出される対向する２つの接触の位置関係、つまり、第１位置と第３位置または第２位置と第４位置は、当該側面センサの延在方向における位置が一定距離範囲内にあればよく、同一位置である必要はない。
【００４１】
また、主制御部１０は、第１位置と第２位置と第３位置とで接触を検出した場合、図４に示すように、第４位置に対応する領域に第４位置がシャッタのための位置であることを示すマーク６８を表示させることが好ましい。このように第４位置となる領域を特定する表示であるマーク６８をタッチパネル２に表示させることで、どの位置に接触すれば第４位置として検出されるかを利用者に示すことができ、確実に第４位置に指を接触させることができ、より確実に画像を撮影することができる。
【００４２】
また、主制御部１０は、姿勢検出センサ１４で検出した向き、具体的には、指の接触を検出している２つの側面センサの相対的な位置関係に基づいて、撮影処理（設定処理）を実行するかを切り換えるようにしてもよい。主制御部１０は、例えば、側面接触センサで１つの接触（第３位置の接触）を検出している側面センサ（第２検出部）が２つの接触（第１位置および第２位置の接触）を検出している側面センサ（第１検出部）よりも鉛直方向下側であることを検出した状態で、１つの接触（第３位置の接触）を検出している側面センサ（第２検出部）が第２位置に対応する第４位置への接触を検出した場合、画像の撮影を行わない、つまりシャッタボタンの押下操作として検出しない設定としてもよい。これにより、偶然鉛直方向下側の指が離れた動作等をシャッタボタンの押下操作として検出しないようにすることができる。なおこの場合、主制御部１０は、側面接触センサで１つの接触（第３位置の接触）を検出している側面センサ（第２検出部）が２つの接触（第１位置および第２位置の接触）を検出している側面センサ（第１検出部）よりも鉛直方向上側であることを検出した状態で、１つの接触（第３位置の接触）を検出している側面センサ（第２検出部）が第２位置に対応する第４位置への接触を検出した場合、画像の撮影を行うように制御することができる。
【００４３】
なお、主制御部１０は、撮影制御プログラム９Ｃを処理しカメラ１３で画像を取得している場合、タッチパネル２にプレビュー画像を表示させることが好ましい。これにより、カメラ１３で撮影している画像を利用者に認識させやすくすることができる。
【００４４】
ここで、カメラ１３の光軸は、上述した四角形６９に直交する方向とすることが好ましい。上記関係を満たす位置にカメラ１３と側面接触センサ４とを配置することで、利用者はシャッタボタンの押下に対応付けられた４つの点に接触した場合、携帯電話端末１を適切に保持することができ、また、撮影対象と視線の向きとを基本的に同一方向とすることができる。
【００４５】
また、上記実施形態では、左側面センサ２４が２つの接触位置を検出する第１検出部となり、右側面センサ２２が１つの接触位置（第１検出部が検出した接触位置に対応する接触位置）を検出する第２検出部となる場合を説明したが、これには限定されない。携帯電話端末１および主制御部１０は、携帯電話端末１の向きや、利用者の接触状態に応じて、側面接触センサ４の任意の側面センサを第１検出部とし、当該側面センサに対応する側面センサを第２検出部とすることができる。つまり、利用者の利用状態によって、第１検出部と第２検出部は任意に入れ替わる。また、第１位置と第２位置との位置関係や第３位置と第４位置との位置関係も、入れ替わっても良い。
【００４６】
以下、図６および図７を用いて、撮影指示を側面接触センサ４で検出される操作で検出する制御の他の例について説明する。シャッタボタンの他の例を説明する。図６および図７は、それぞれ側面接触センサによって検出される操作に応じて主制御部が実行する制御の他の例を示す図である。なお、図６は、携帯電話端末１と携帯電話端末１を操作する手（左手４０）との関係を示す図である。図７は、操作する手と側面接触センサ４で接触する接触点との関係を模式的に示す図である。また、図６および図７に示す処理は、撮影制御プログラム９Ｃおよび接触操作制御プログラム９Ｄを主制御部１０で処理することで実現される。
【００４７】
図６に示す携帯電話端末１は、タッチパネル２の長手方向が縦となる向きで利用者の左手４０により支持されている。具体的には、左手４０は、人差し指４４で右側面センサ２２の下側面センサ２８側の部分を指示し、親指４２と人差し指４４との間の股４６で左側面センサ２４の下側面センサ２８側の部分を支持している。このように１本の指と指の股４６で支持されている状態の場合、携帯電話端末１は、図７の左図に示すように人差し指４４の接触点８２での接触を右側面センサ２２が検出し、股４６の接触点８４での接触を左側面センサ２４が検出する。つまり、右側面センサ２２は、接触点８２の１つの接触点で接触を検出する。左側面センサ２４も、接触点８４の１つの接触点で接触を検出する。また、接触点８２および接触点８４は、それぞれ右側面センサ２２および左側面センサ２４の鉛直方向下側である下側面センサ２８側の接触点となる。
【００４８】
図７の左図のように利用者が接触していると、携帯電話端末１の主制御部１０は、左側面センサ２４が１つの接触点８４で接触を検出し、右側面センサ２２が接触点８２で接触を検出している状態であると判定する。この場合、主制御部１０は、接触点８２、８４の位置情報に基づいて、利用者が片手で携帯電話端末１を支持していると判定し、タッチパネル２の所定の領域への接触を、シャッタボタンの押下として検出する操作に設定する。主制御部１０は、接触点８２、８４の位置情報に基づいて、利用者が携帯電話端末１を持っている手を判定し、その判定結果に基づいて、タッチパネル２にシャッタボタン７２を表示させる位置を決定する。本実施形態では、左手４０の親指４２が接触可能な領域７４を決定し、決定した領域７４にシャッタボタン７２を表示させる。
【００４９】
次に利用者は、図７の左図に示す状態から図６に示すように右手４０の親指４２を矢印４９の方向に移動させタッチパネル２のシャッタボタン７２に接触させる。利用者が親指４２をタッチパネル２のシャッタボタン７２に対応する領域７４に接触させることで、携帯電話端末１は、図７の右図に示すように、左手の親指４２がタッチパネル２に接触した状態となる。これにより、携帯電話端末１は、親指４２の接触点８６での接触をタッチパネル２が新たに検出する。
【００５０】
主制御部１０は、タッチパネル２による領域７４に含まれる接触点８６への接触の検出を、撮影指示の入力と判定し、カメラ１３で撮影した画像を取得する。主制御部１０は、撮影指示が入力された時点で取得した画像を一時的に保存し、タッチパネル２に表示させる。その後、利用者により保存の指示が入力された場合、当該一時的に保存していた画像を記憶部９に記憶させる。なお、主制御部１０は、撮影指示が入力された時点で取得した画像をそのまま保存してもよい。
【００５１】
携帯電話端末１は、図６および図７に示すように、側面接触センサ４で検出した接触の位置に基づいて利用者が携帯電話端末１を支持している方法を検出し、片手で指示していると判定した場合、タッチパネル２の利用者の親指が配されていると推定される領域にシャッタボタン７２を表示させることで、利用者の支持方法に対応した操作をシャッタボタンの押下操作に割り当てることができる。
【００５２】
次に、図８を参照しながら、接触操作の検出時の携帯電話端末１の動作について説明する。図８は、携帯電話端末の動作を示すフローチャートである。図８に示す処理手順は、撮影制御プログラム９Ｃおよび接触操作制御プログラム９Ｄが提供する機能に基づいて繰り返し実行される。なお、図８に示す処理は、利用者によりカメラ機能の起動指示が入力された場合に実行される処理である。
【００５３】
携帯電話端末１の主制御部１０は、ステップＳ１２として、カメラ１３を起動させ、ステップＳ１４として側面接触センサ４を起動させる。なお、主制御部１０は、カメラ１３、側面接触センサ４がすでに起動されている場合、ステップＳ１２、ステップＳ１４の処理を行わず次の処理に進む。
【００５４】
主制御部１０は、ステップＳ１４で側面接触センサ４を起動させたら、ステップＳ１６として、側面接触があるか、つまり側面接触センサ４によっていずれかの側面への接触が検出されたかを判定する。主制御部１０は、ステップＳ１６で側面接触なし（Ｎｏ）、つまり側面への接触が検出されていないと判定したら、ステップＳ４２に進む。また、主制御部１０は、ステップＳ１６で側面接触あり（Ｙｅｓ）、つまり側面への接触が検出されていると判定したら、ステップＳ１８として、指の接触位置を検出する。つまり、側面接触センサ４の接触点の情報に基づいて指の接触位置を検出する。
【００５５】
主制御部１０は、ステップＳ１８で指の接触位置を検出したら、ステップＳ２０として検出した指の接触位置が第１シャッタポジションであるかを判定する。ここで、第１シャッタポジションとは、図４および図５に示す接触位置の対応関係であり、第１検出部が第１位置と第２位置で接触を検出し、第２検出部が第１位置に対向する位置である第３位置で接触を検出している状態である。
【００５６】
主制御部１０は、ステップ２０で第１シャッタポジションである（Ｙｅｓ）と判定したら、ステップＳ２２として、シャッタ領域を決定する。つまり、第２検出部の接触を検出する領域のうち、第２領域に対向する領域であり、第４位置として検出可能な領域を決定し、当該領域をシャッタ領域とする。主制御部１０は、ステップＳ２２でシャッタ領域を決定したら、ステップ２４として、シャッタ領域への接触を側面接触センサ４で検出したかを判定する。主制御部１０は、ステップＳ２４でシャッタ領域への接触を検出していない（Ｎｏ）と判定したら、ステップＳ２４に進む。つまり、主制御部１０は、シャッタ領域への接触を検出するまで、ステップＳ２４の処理を繰り返す。主制御部１０は、ステップＳ２４でシャッタ領域への接触を検出した（Ｙｅｓ）と判定したら、ステップＳ３５に進む。
【００５７】
次に、主制御部１０は、ステップ２０で第１シャッタポジションではない（Ｎｏ）と判定したら、ステップＳ２６として、第２シャッタポジションであるかを判定する。ここで、第２シャッタポジションとは、図６および図７に示す接触位置の対応関係であり、利用者が携帯電話端末１を片手で保持している状態である。主制御部１０は、ステップＳ２６で第２シャッタポジションである（Ｙｅｓ）と判定したら、ステップＳ２８として、持ち手を検出する。つまり、ステップＳ１８で検出した指の位置に基づいて、右手と左手のいずれで持っているかを判定する。主制御部１０は、ステップＳ２８で持ち手を検出したら、ステップＳ３０として親指の位置を決定する。つまり、主制御部１０は、ステップＳ２８で検出した持ち手の情報に基づいて、利用者の親指の位置（可動領域）を決定（推定）する。主制御部１０は、ステップＳ３０で親指の位置を決定したら、ステップＳ３２としてタッチパネル２にシャッタボタンを表示する。つまり、主制御部１０は、ステップＳ３０で決定した親指の位置に基づいて親指で押下可能なタッチパネル２の領域を決定し、当該領域にシャッタボタンを表示させる。主制御部１０は、ステップＳ３２でシャッタボタンを表示させたら、ステップＳ３４でシャッタボタンへの接触をタッチパネル２で検出したかを判定する。主制御部１０は、ステップＳ３４でシャッタボタンへの接触を検出していない（Ｎｏ）と判定したら、ステップＳ３４に進む。つまり、主制御部１０は、シャッタボタンへの接触を検出するまで、ステップＳ３４の処理を繰り返す。主制御部１０は、ステップＳ３４でシャッタ領域への接触を検出した（Ｙｅｓ）と判定したら、ステップＳ３５に進む。
【００５８】
主制御部１０は、ステップＳ２４またはステップＳ３４でＹｅｓと判定したら、ステップＳ３５として画像を保存する。つまり、主制御部１０は、シャッタボタンの押下の操作が入力されたと判定して、当該操作が入力された時点で取得した画像を少なくとも一時的に保存する。これにより、主制御部１０は、シャッタボタンの押下の操作が入力された時点でカメラ１３が撮影した画像を取得することができる。主制御部１０は、ステップＳ３５の処理を行ったら、ステップＳ４２に進む。
【００５９】
また、主制御部１０は、ステップＳ２６で第２シャッタポジションではない（Ｎｏ）と判定したら、ステップＳ３６として、他の操作であるか、つまり、検出した側面接触センサ４への接触に他の操作が割り当てられているかを判定する。主制御部１０は、ステップＳ３６で他の操作である（Ｙｅｓ）と判定したら、ステップＳ３８として入力操作に応じた処理を実行する。主制御部１０は、ステップＳ３８の処理を行ったらステップＳ４２に進む。また、主制御部１０は、ステップＳ３６で他の操作ではない（Ｎｏ）つまり、検出した接触には操作が割り当てられていないと判定したら、ステップＳ４２に進む。
【００６０】
主制御部１０は、ステップＳ１６、ステップＳ３６でＮｏと判定したらまたはステップＳ３５、ステップＳ３８の処理を行ったら、ステップＳ４２として処理終了であるかを判定する。主制御部１０は、ステップＳ４２で処理終了ではない（Ｎｏ）と判定したら、ステップＳ１６に進む。主制御部１０は、ステップＳ４２で処理終了である（Ｙｅｓ）と判定したら、本処理を終了する。
【００６１】
携帯電話端末１は、図８に示すように、側面接触センサ４で検出した接触位置に基づいて実行する処理を切り換えることで、利用者が側面接触センサ４に接触して種々の操作を入力することができる。また、携帯電話端末１は、側面接触センサ４で検出した接触位置に基づいて、シャッタボタンの押下の操作に割り当てる操作を切り換えることで、利用者の持ち方に適応して利用者が入力しやすい操作をシャッタボタンの押下操作とすることができる。また、それぞれの接触状態の場合に入力される所定の操作をシャッタボタンの押下操作とすることができるため、誤操作で入力される恐れを低減することができる。
【００６２】
なお、上記の実施形態で示した本発明の態様は、本発明の要旨を逸脱しない範囲で任意に変更することができる。
【００６３】
上記実施形態では、図４および図５に示す対応する第１位置、第２位置、第３位置で接触を検出した後、第４位置で接触を検出した場合に実行する処理を画像の撮影処理としたが、実行する処理はこれに限定されない。実行する処理は予め設定した種々の設定処理を用いることができる。主制御部１０は、撮影制御プログラム９Ｃ以外のプログラムを実行して他の機能を実現している場合は、実行しているプログラムで設定されている設定処理を実行すればよい。例えば、タッチパネル２に画像を表示させている状態で、第１位置、第２位置、第３位置で接触を検出した後、第４位置で接触を検出した場合、設定処理として、４つの接触点で囲われる領域を指定する処理を実行してもよい。このように、３つの接触位置を検出した状態で、第４位置への接触が検出された場合、設定処理を実行することで、設定処理が誤操作で入力されることを抑制できる。これにより、設定処理として利用者への高度な確認が必要なる処理を用いることで、当該設定処理が不用意に実行されることを抑制できる。
【００６４】
また、上記実施形態では、側面接触センサ４として、筐体の４辺（側面の４つの面）のそれぞれに側面センサを配置したがこれに限定されない。側面への接触を検出する側面センサは必要な位置に配置すればよい。例えば、図４および図５の処理を行う場合は、対向する２辺（２つの面）のみに側面センサを配置すればよい。なお、２つの側面センサを配置する場合、正面（タッチパネルが配置されている面）の長辺と隣接する（つまり長辺側の）２つの側面に配置することが好ましい。これにより、図４および図５に示すようにカメラで通常シャッタボタンが配置されている位置を第４位置とすることができる。
【００６５】
なお、図４および図５に示すように対向する２つの面に配置された２つの接触検出部で、対応するそれぞれ２つの接触位置を検出する場合に用いる接触検出部は、側面接触センサに限定されない。例えば、一方の接触検出部としてタッチパネル２を用い、他方の接触検出部として、タッチパネル２に対向する面（反対側の面）に配置した接触検出部を用いるようにしてもよい。これにより、側面接触センサを設けない構成としても、つまり、携帯電話端末１の面積が最も大きい２つの面に接触検出部を設けた構成としても上記処理を実現することができる。
【００６６】
また、上記の実施形態では、表示手段としてタッチパネルを有する電子機器に本発明を適用する例について説明したが、本発明は、表示手段として、タッチセンサが重畳されていない単なる表示パネルを有する電子機器に適用することもできる。
【符号の説明】
【００６７】
１  携帯電話端末
２  タッチパネル
２Ａ  タッチセンサ
２Ｂ  表示部
３  入力部
４  側面接触センサ
５  電源部
６  通信部
７  スピーカ
８  マイク
９  記憶部
９Ａ  メールプログラム
９Ｂ  ブラウザプログラム
９Ｃ  撮影制御プログラム
９Ｄ  接触操作制御プログラム
９Ｅ  側面接触動作定義データ
１０  主制御部
１１  ＲＡＭ
１３  カメラ
１４  姿勢検出センサ
２２  右側面センサ
２４  左側面センサ
２６  上側面センサ
２８  下側面センサ
【図１】
2012194810.tif 000003
【図２】
2012194810.tif 000004
【図３】
2012194810.tif 000005
【図４】
2012194810.tif 000006
【図５】
2012194810.tif 000007
【図６】
2012194810.tif 000008
【図７】
2012194810.tif 000009
【図８】
2012194810.tif 000010